【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
原稿が載置される原稿トレイと、
前記原稿トレイから給紙された前記原稿を搬送路に搬送する搬送手段と、
前記搬送路を搬送される前記原稿から原稿画像を読み取る画像読取手段と、
前記搬送路における前記原稿のジャムの発生を検知するジャム検知手段と、
前記画像読取手段により原稿画像が読み取られた原稿が排出される排紙トレイと、
ジャム発生時に前記搬送手段による前記原稿の搬送を停止させ、停止した前記原稿の長さのうちの前記排紙トレイに排出されている長さに基づいて、ジャム解除後の前記原稿の読取処理の再開方法として、すべての原稿を前記原稿トレイに載置する第１の再開方法と、排出が完了していない原稿を前記原稿トレイに載置する第２の再開方法とのいずれかを決定し、決定した再開方法を所定の通知手段により通知する制御手段と、を備えることを特徴とする、
画像読取装置。
【請求項２】
前記制御手段は、前記原稿が前記排紙トレイに排出されている長さが所定の長さよりも長ければ、前記再開方法を前記第１の再開方法に決定し、前記原稿が前記排紙トレイに排出されている長さが前記所定の長さよりも短ければ、前記再開方法を前記第２の再開方法に決定することを特徴とする、
請求項１記載の画像読取装置。
【請求項３】
前記搬送路から前記排紙トレイに排出される前記原稿を検知する検知手段をさらに備え、
前記制御手段は、前記検知手段が前記原稿を検知してからジャムが発生したと判断するまでの時間と、前記原稿の搬送速度とから、前記原稿が前記排紙トレイに排出されている長さを決定することを特徴とする、
請求項１又は２記載の画像読取装置。
【請求項４】
前記原稿トレイから前記搬送路へ給紙された原稿の第１の枚数、前記画像読取手段が原稿画像を読み取った原稿の第２の枚数、及び前記排紙トレイに排出された原稿の第３の枚数を保存する保存手段と、
前記原稿トレイに載置される原稿の有無を検知する原稿有無検知手段と、をさらに備えており、
前記制御手段は、前記原稿有無検知手段が原稿を検知せず、且つ前記第１の枚数、前記第２の枚数、及び前記第３の枚数が同じであれば、前記再開方法を通知しないことを特徴とする、
請求項１〜３のいずれか１項記載の画像読取装置。
【請求項５】
前記制御手段は、前記第１の再開方法で前記原稿の読取処理が再開されると、前記第２の枚数まで原稿画像の読み取りを行わないように前記画像読取手段を制御することを特徴とする、
請求項４記載の画像読取装置。
【請求項６】
前記制御手段は、前記第１の枚数よりも前記第２の枚数或いは前記第３の枚数が多い場合、すべての原稿を再度読み取らせるように、前記通知手段により通知することを特徴とする、
請求項４又は５記載の画像読取装置。
【請求項７】
前記ジャム検知手段は、前記原稿が所定時間経過しても所定の位置に到達していない場合、及び前記原稿が所定時間経過しても所定の位置から移動していない場合に、ジャムの発生を検知することを特徴とする、
請求項１〜６のいずれか１項記載の画像読取装置。
【請求項８】
前記第１の再開方法と前記第２の再開方法とのいずれかをジャム発生時の前記原稿の読取処理の再開方法として予め設定する設定手段をさらに備えており、
前記制御手段は、前記設定手段により前記第２の再開方法が設定される場合に、前記再開方法を、前記第１の再開方法と前記第２の再開方法とのいずれかに決定することを特徴とする、
請求項１〜７のいずれか１項記載の画像読取装置。
【請求項９】
原稿を搬送路に搬送する搬送手段と、前記搬送路を搬送される前記原稿から原稿画像を読み取る画像読取手段と、前記搬送路に給紙する前記原稿を載置する原稿トレイと、前記画像読取手段により原稿画像が読み取られた原稿が排出される排紙トレイと、前記搬送路における前記原稿のジャムの発生を検知するジャム検知手段と、通知手段と、を備えた装置により実行される方法であって、
前記ジャム検知手段がジャムの発生を検知すると前記搬送手段による前記原稿の搬送を停止し、
ジャム発生時に停止した前記原稿の長さのうちの前記排紙トレイに排出されている長さに基づいて、ジャム発生後の前記原稿の読取処理の再開方法として、すべての原稿を前記原稿トレイに載置する第１の再開方法と、排出が完了していない原稿を前記原稿トレイに載置する第２の再開方法とのいずれかを決定し、
決定した再開方法を前記通知手段により通知することを特徴とする、
画像読取方法。
【手続補正２】
【補正対象書類名】明細書
【補正対象項目名】００１０
【補正方法】変更
【補正の内容】
【００１０】
本発明の画像読取装置は、原稿が載置される原稿トレイと、前記原稿トレイから給紙された前記原稿を搬送路に搬送する搬送手段と、前記搬送路を搬送される前記原稿から原稿画像を読み取る画像読取手段と、前記搬送路における前記原稿のジャムの発生を検知するジャム検知手段と、前記画像読取手段により原稿画像が読み取られた原稿が排出される排紙トレイと、ジャム発生時に前記搬送手段による前記原稿の搬送を停止させ、停止した前記原稿の長さのうちの前記排紙トレイに排出されている長さに基づいて、ジャム解除後の前記原稿の読取処理の再開方法として、すべての原稿を前記原稿トレイに載置する第１の再開方法と、排出が完了していない原稿を前記原稿トレイに載置する第２の再開方法とのいずれかを決定し、決定した再開方法を所定の通知手段により通知する制御手段と、を備えることを特徴とする。
【手続補正３】
【補正対象書類名】明細書
【補正対象項目名】００２１
【補正方法】変更
【補正の内容】
【００２１】
（ＡＤＦを用いた片面（表面）読取）
画像読取装置２００は、ＡＤＦ１００を用いて原稿Ｓの表面の原稿画像を読み取る場合、以下のように動作する。
【手続補正４】
【補正対象書類名】明細書
【補正対象項目名】００２６
【補正方法】変更
【補正の内容】
【００２６】
この際、リードセンサ１４は、原稿Ｓの搬送方向の先端（原稿先端）を検知する。リードセンサ１４が原稿Ｓの原稿先端を検知した位置からスキャナユニット２０９の読取位置までの距離が、上流リードローラ対４及び原稿読取プラテンローラ５の駆動源となる不図示の搬送モータのクロックにより計数される。これにより、スキャナユニット２０９の読取位置が正確に計測され、計測された読取位置を通過するタイミングが原稿Ｓの表面の原稿画像先端基準位置として決定される。決定された原稿画像先端基準位置に基づいて、スキャナユニット２０９による原稿Ｓの表面の画像読取が行われる。
【手続補正５】
【補正対象書類名】明細書
【補正対象項目名】００２９
【補正方法】変更
【補正の内容】
【００２９】
（ＡＤＦを用いた両面読取）
画像読取装置２００は、ＡＤＦ１００を用いて原稿Ｓの両面の原稿画像を読み取る場合、以下のように動作する。表面の原稿画像の読取動作については、上記の通りである。裏面の原稿画像の読取動作は、以下のようになる。
【手続補正６】
【補正対象書類名】明細書
【補正対象項目名】００３６
【補正方法】変更
【補正の内容】
【００３６】
例えばＣＰＵ２５０は、ＣＣＤセンサユニット２１０から原稿Ｓの表面の画像信号を取得し、シェーディング補正部２５４により表面用のシェーディング補正係数を用いたシェーディング補正を行う。画像処理部２２５は、シェーディング補正後の表面の画像信号に対して所定の画像処理を行う。ＣＰＵ２５０は、シェーディング補正及び画像補正後の画像信号を表面の原稿画像を表す画像データとして画像メモリ２２９に格納する。同様にＣＰＵ２５０は、ＣＩＳユニット２５５から原稿Ｓの裏面の画像信号を取得し、シェーディング補正部２５４により裏面用のシェーディング補正係数によるシェーディング補正を行う。画像処理部２２５は、シェーディング補正後の裏面の画像信号に対して所定の画像処理を行う。ＣＰＵ２５０は、シェーディング補正及び画像補正後の画像信号を裏面の原稿画像を表す画像データとして画像メモリ２２９に格納する。
【手続補正７】
【補正対象書類名】明細書
【補正対象項目名】００４２
【補正方法】変更
【補正の内容】
【００４２】
（ジャム検知）
以上のようなＡＤＦ１００を備えた画像読取装置２００では、ＡＤＦ１００による原稿Ｓの搬送時にジャムが発生することがある。図３は、原稿Ｓの搬送時のジャムの発生を検知する処理を表すフローチャートである。なお、画像読取装置２００は、原稿Ｓが所定のタイミングまでに所定のセンサで検知されない場合や、原稿Ｓが搬送路３４に所定時間以上留まった場合に、ジャムが発生したと判定する。即ち、原稿Ｓに対する、遅延ジャムや滞留ジャムが判定される。
【手続補正８】
【補正対象書類名】明細書
【補正対象項目名】００４３
【補正方法】変更
【補正の内容】
【００４３】
ＣＰＵ２５０は、読取ジョブを開始して原稿Ｓの搬送をＡＤＦ１００に指示する。ＣＰＵ２５０は、原稿Ｓが遅延ジャムの監視位置に到達したか否かを判定する（Ｓ４０１０）。遅延ジャムの監視位置は、例えば原稿Ｓの搬送開始から所定距離の位置や、搬送路３４に設けられる各センサの検知範囲である。ＣＰＵ２５０は、原稿Ｓが遅延ジャムの監視位置に到達するまで待機する。原稿Ｓが遅延ジャムの監視位置に到達した場合（Ｓ４０１０：Y）、ＣＰＵ２５０は、原稿Ｓの搬送遅延を監視するためにタイマ２６２を起動する（Ｓ４０２０）。ここでは、タイマ２６２は、原稿Ｓが監視位置に到達する時間を計測する。ＣＰＵ２５０は、タイマ２６２により計測する時間に基づいて、遅延ジャムの発生を監視することになる。
【手続補正９】
【補正対象書類名】明細書
【補正対象項目名】００７６
【補正方法】変更
【補正の内容】
【００７６】
このように画像読取装置２００は、「途中戻し」が設定時にジャムが発生すると、その時点で排出中の原稿の排出長が所定の長さより短ければ、原稿トレイ３０に戻す原稿の枚数をユーザの判断に任せる。排出長が所定の長さより長く、ユーザが戻す原稿の枚数を迷うようであれば、画像読取装置２００は、ユーザに「全部戻し」を指示する。